(57)【要約】【課題】  光源に手を加えたり、光源の明るさを調整することなく、光源から出る光が寝た姿勢の人の目に直接入ることを防止できる遮光器具の提供。【解決手段】  遮光部２８と、遮光部２８を支える支承部１２と、支承部１２を支える基台１０と、遮光部２８の周縁部から垂れ下がって光を遮るカーテン４４により遮光器具１を構成する。【選択図】  図１
0003150007.tif 000002
【実用新案登録請求の範囲】
【請求項１】
上方に位置する光源から出る光が寝た姿勢の人の目に直接入ることを防止する遮光器具であって、光を遮る遮光部と、当該遮光部を支える支承部と、を有することを特徴とする遮光器具。
【請求項２】
基台を有し、当該基台が前記支承部を支えていることを特徴とする請求項１に記載の遮光器具。
【請求項３】
光を遮る遮光幕が、前記遮光部の周縁部から垂れ下がっていることを特徴とする請求項１又は請求項２に記載の遮光器具。
【請求項４】
前記遮光部の光を遮る部分が、その面積を可変であることを特徴とする請求項１から請求項３のうちのいずれかの請求項に記載の遮光器具。
【請求項５】
前記支承部が、その高さを可変であることを特徴とする請求項１から請求項４のうちのいずれかの請求項に記載の遮光器具。
【請求項６】
遮光器具を上方から吊り下げる吊下部を有することを特徴とする請求項１から請求項５のうちのいずれかの請求項に記載の遮光器具。
【請求項７】
前記遮光部の上側面が、傾斜面であることを特徴とする請求項１から請求項６のうちのいずれかの請求項に記載の遮光器具。
【考案の詳細な説明】
【技術分野】
【０００１】
上方に位置する光源から出る光が寝た姿勢の人の目に直接入ることを防止する遮光器具に関する。
【背景技術】
【０００２】
室内を明るく照明する手段として、照明器具が部屋の天井や壁面の上方に設置されている。照明器具から出る光によって室内にいる人が眩しさを感じることを防止するために、照明器具を出て直接人の目に入る光を暗くする技術が提唱されている（例えば、特許文献１を参照）。
【先行技術文献】
【特許文献】
【０００３】
【特許文献１】特開平２００４−７１４０８号公報
【考案の概要】
【考案が解決しようとする課題】
【０００４】
自分の家であれば、家の照明器具に手を加えたり、家の照明器具を眩しさを感じないものに取り替えることは、その人の自由である。また、室内に自分ひとりしかいない場合、他人に気兼ねすることなく部屋の照明器具を消したりその明るさを調節したりすることができる。
しかし、他人の家やよその建物の照明器具に勝手に手を加え当たり別のものに取り替えたりするわけにはいかない。また、室内に他人がいる場合、勝手に照明器具を消したりその明るさを変えたりするわけにはいかない。
【０００５】
例えば、病院の大部屋に入院している患者が、消灯時間前にベッドで横になって眠ろうとしても、天井の照明器具の光が直接目に入り、眩しさを感じてなかなか眠ることができない。患者が毛布などを頭にかぶって光を遮ったとしても、息苦しさを感じて眠りにくい。
また、他人がいる室内で横になってテレビを観賞する場合、天井の照明器具の光が直接目に入り、眩しさを感じてテレビ観賞の妨げとなりやすい。
本考案は、上記問題を解決するものであり、その目的とするところは、光源に手を加えたり、光源の明るさを調整することなく、光源から出る光が寝た姿勢の人の目に直接入ることを防止可能な遮光器具を提供することである。
【課題を解決するための手段】
【０００６】
本考案は、その課題を解決するために以下のような構成をとる。請求項１の考案に係る遮光器具は、上方に位置する光源から出る光が寝た姿勢の人の目に直接入ることを防止する遮光器具であって、光を遮る遮光部と、当該遮光部を支える支承部と、を有する。
例えば、上方で照明器具が灯っている室内において、人が横になって眠ろうとする場合、その人は、遮光部の下に頭を入れることにより、照明器具の光を遮光部によって遮ることができ、眩しさを防止できる。また、上方で照明器具が灯っている室内において、人が横になってテレビを観賞する場合、遮光部の下に頭を入れることにより、照明器具の光が目に直接入ってテレビ観賞の妨げとなることを防止できる。
晴れた日に屋外で横になる場合にも、顔に直接さす太陽光を遮光部によって遮ることができ、太陽光の眩しさを防止できる。
【０００７】
請求項２の考案に係る遮光器具は、請求項１に記載の遮光器具であって、基台を有し、当該基台が前記支承部を支えている。
基台の上に枕を置き、この枕の上に頭を載せて寝た姿勢をとれば、上方に位置する光源から出る光が寝た姿勢の人の目に直接入ることを、遮光部が防止する。
【０００８】
請求項３の考案に係る遮光器具は、請求項１又は請求項２に記載の遮光器具であって、光を遮る遮光幕が、前記遮光部の周縁部から垂れ下がっている。
明るい場所で眠ろうとする場合、遮光部の下に頭を入れて、遮光幕をまわりに垂らしておけば、頭のまわりを暗くすることができ、眩しさを感じることなく眠ることができる。
遮光幕を通気性のある布地などによって形成すれば、人が、周囲に遮光幕を垂らした遮光部の下に頭を入れても、息苦しさを感じることがない。また、遮光幕を網状にしたり、透けた布地によって形成することにより、遮光幕をまわりに垂らした遮光部の下から、周囲の様子を簡単に窺い知ることができる。
蚊が出る季節には、周囲に遮光幕を垂らした遮光部の下に頭を入れておくことにより、顔や頭に蚊がたかることを防止できる。
【０００９】
請求項４の考案に係る遮光器具は、請求項１から請求項３のうちのいずれかの請求項に記載の遮光器具であって、前記遮光部の光を遮る部分が、その面積を可変である。
光源の位置に応じて遮光部の光を遮る部分の面積を変えれば、光源から出る光が目に直接入ることを簡単に防止できる。
例えば、光源が斜め上方に位置していたり、光源の発光面積が広いような場合、遮光部の光を遮る部分の面積を広げれば、光源から目に入る光を簡単に遮ることができる。
遮光部の光を遮る部分を折り畳み可能に形成すれば、遮光部の光を遮る部分の面積を変えることができる。また、遮光部の光を遮る部分を、遮光部から出し入れ自在の板により形成すれば、遮光部の光を遮る部分の面積を変えることができる。
【００１０】
請求項５の考案に係る遮光器具は、請求項１から請求項４のうちのいずれかの請求項に記載の遮光器具であって、前記支承部が、その高さを可変である。
遮光器具を使用する場所や人に応じて、遮光部の高さを変えることができる。
支承部を複数本の脚によって形成した場合、各脚の長さを調節することによって、傾斜や凹凸がある場所に遮光器具を置いて使用することができる。例えば、肘掛け付き長椅子の肘掛に頭を載せて寝た姿勢をとる場合、各脚の長さを調節することによって、頭上に遮光部がきて光源の光を遮るように、遮光器具を肘掛け付き長椅子の上に置くことができる。
【００１１】
請求項６の考案に係る遮光器具は、請求項１から請求項５のうちのいずれかの請求項に記載の遮光器具であって、遮光器具を上方から吊り下げる吊下部を有する。
吊下部によって遮光器具を天井等から吊り下げておくことができる。遮光器具を使うときには、遮光器具を使う高さに引き下げればよく、遮光器具を使用しないときには、遮光器具を邪魔にならない高さに引き上げておけばよい。
請求項７の考案に係る遮光器具は、請求項１から請求項６のうちのいずれかの請求項に記載の遮光器具であって、前記遮光部の上側面が、傾斜面である。
遮光部の上側面が傾斜面となっているので、人が遮光部の上に物を載せたりすることを防止できる。
【考案の効果】
【００１２】
上記のような遮光器具であるので、光源に手を加えたり、光源の明るさを調整することなく、光源から出る光が寝た姿勢の人の目に直接入ることを防止できる。
【図面の簡単な説明】
【００１３】
【図１】遮光器具の斜視図である。
【図２】遮光器具の正面図である。
【図３】遮光器具の側面図である。
【図４】遮光器具の使用状態の説明図である。
【図５】遮光器具の別の使用状態の説明図である。
【図６】折り畳んだ状態の遮光器具の側面図である。
【図７】変形例に係る遮光器具の斜視図である。
【考案を実施するための形態】
【００１４】
本考案を実施するための最良の形態を図１〜６を参照しつつ説明する。
図１は、遮光器具の斜視図、図２は、遮光器具の正面図、図３は、遮光器具の側面図、図４は、遮光器具の使用状態の説明図、図５は、遮光器具の別の使用状態の説明図、図６は、折り畳んだ状態の遮光器具の側面図である。
図１〜３に示すように、遮光器具１は、基台１０、支承部１２、遮光部２８、カーテン４４を有している。
【００１５】
基台１０は、１枚の四角形の板状部材からなる。基台１０の上側面１０Ｔは、枕をその上に載せておくことができる広さを有している。基台１０の奥側の一辺が、ヒンジ４８を介して支承部１２の下端に接続されており、基台１０が支承部１２を支えている。ヒンジ４８は、基台１０と支承部１２との間の角度をロック可能に構成されている。
支承部１２は、上下にずれて重なる２枚の角形の板状部材１４、１６からなる。板状部材１４、１６は、同じ形の四角形であり、板状部材１４が板状部材１６よりも奥側かつ下側に位置している。
【００１６】
板状部材１４、１６は、それぞれ、上下方向に等間隔で並ぶ複数個の穴１８の列を２列有している。板状部材１４の穴１８が板状部材１６の穴１８に重なっており、重なりあった穴１８にピン５２が挿通されて、板状部材１４が板状部材１６に固定されている。支承部１２は、板状部材１４と板状部材１６との重ね方を変えることによって、その高さを変更可能に構成されている。
【００１７】
板状部材１４の下側の一辺が、ヒンジ４８によって基台１０に接続されている。板状部材１６の上側の一辺が、ヒンジ５０を介して遮光部２８の奥側の一辺に接続されており、支承部１２が遮光部２８を支えている。ヒンジ５０は、支承部１２と遮光部２８との間の角度をロック可能に構成されている。
遮光部２８は、１枚の四角形の板状部材３０と屋根３８とからなる。板状部材３０は、内部に中空部分が形成されており、この中空部分が上下２段に仕切られている。上側中空部分が、板状部材３０の正面側の側面３０Ｆにおいて開口し、下側中空部分が、板状部材３０の左右の側面３０Ｓにおいて開口している。
【００１８】
板状部材３０の上側中空部分には、１枚の四角形の板状部材３２が挿入されており、板状部材３０の上側中空部分の前記開口から板状部材３２を出し入れ自在に構成されている。板状部材３２の大きさは板状部材３０の大きさよりも僅かに小さい。板状部材３２の正面側縁には、引き手３６が形成されている。
板状部材３０の下側中空部分には、１枚の四角形の板状部材３４が挿入されており、板状部材３０の下側中空部分の前記開口から板状部材３４を出し入れ自在に構成されている。板状部材３４の大きさは板状部材３０の大きさよりも僅かに小さい。板状部材３４の左右両側縁には、引き手３６がそれぞれ形成されている。
【００１９】
板状部材３０、３２、３４が、遮光部２８の光を遮る部分をなしている。板状部材３２、３４を出し入れすることにより、遮光部２８の光を遮る部分は、その面積を可変に構成されている。
屋根３８は、２面の傾斜面４０を有し、各傾斜面４０が屋根３８の中央から左右両側に向かって下向きに傾斜している。屋根３８の中央には環状の吊下部４２が形成されている。
【００２０】
板状部材３０の下側面において、左右両側の縁部分と正面側の縁部分には、これらの縁に沿って１本の連続するカーテンレール４６がコの字状に設置されている。遮光幕をなすカーテン４４が、カーテンレール４６から垂れ下がっている。カーテン４４の下端は基台１０まで達している。カーテン４４の生地は、編み目の荒い生地であり、通気性を有する。
【００２１】
次に、遮光器具１の作用について説明する。
病院の大部屋でベッドに寝ている患者を例にとって以下説明する。この大部屋の照明器具は天井に設置されており、消灯時間前なので、照明器具は灯った状態になっている。
患者は、遮光器具１をベッドの上に置き、基台１０の上に枕を載せ、その枕に頭を載せる。患者の頭上には遮光部２８が位置する。そのまま、患者は頭を横に向けてテレビを観賞する。ベッドが天井の照明器具の真下にある場合、遮光部２８の板状部材３０が照明器具から出る光を遮り、照明器具の光が直接目に入ることが防止される。なお、このとき、カーテン４４はあけた状態にしておく。
【００２２】
ベッドの設置位置によっては、天井の照明器具が視界に入る。このような場合、図４に示すように、患者は、遮光部２８の板状部材３２、３４の両方あるいは一方を板状部材３０から引き出し、遮光部２８が照明器具の光を遮る面積を広げ、照明器具の光が直接目に入ることを防止する。患者は、引き手３６をつまむことによって、板状部材３２、３４を簡単に出し入れすることができる。
【００２３】
したがって、患者は、天井の照明器具が灯った病室の中でも、照明器具の眩しさを感じることなく、快適にテレビを観賞することができる。
患者は、支承部１２の板状部材１４、１６の重なり具合を変えることによって、支承部１２の高さを調節することができる。
患者が消灯時間前にベッドの中で眠ろうとする場合、図５に示すように、カーテン４４を遮光器具１の周りに張り巡らし、遮光部２８の下に頭を入れる。頭の周りにカーテン４４を張り巡らした状態になるので、患者は、照明器具の光が直接目に入ることを防止でき、照明器具の光の眩しさを感じることなく寝入ることができる。また、患者の頭の周りに張り巡らしたカーテン４４は、通気性のある生地であり、患者が息苦しさを感じることはない。
【００２４】
また、遮光部２８の上側面が傾斜面４０となっているので、遮光部２８の上に物を積み上げてしまうことがなくなり、遮光器具１を物を置くための台として使ってしまうことが防止される。
遮光器具１を使わないときは、図６に示すように、遮光器具１を折り畳み、邪魔にならない場所にしまっておくことができる。
【００２５】
遮光器具１を折り畳む際は、まず、ヒンジ５０による支承部１２と遮光部２８との間のロックを解放し、遮光部２８をヒンジ５０を中心として回動させ、支承部１２の正面側の面に板状部材３０の下側面を対向させて重ねる。ついで、ヒンジ４８による支承部１２と基台１０との間のロックを解放し、基台１０をヒンジ４８中心として回動させ、支承部１２の裏側面に基台１０の下側面を対向させて重ねる。遮光器具１をまた使う際には、逆の手順で遮光器具１を組み立てればよい。
【００２６】
吊下部４２に紐を通し、この紐によって遮光器具１を天井等からや吊り下げておくこともできる。そして、遮光器具１を使用するときは、この紐を伸ばして必要な高さに遮光器具１を下ろし、遮光器具１を使用しないときは、この紐を縮めて邪魔にならない高さに遮光器具１を引き上げておく。
本実施の形態において、遮光器具１の支承部１２が板状部材１４、１６によって形成されているが、替りに、支承部１２を図７の変形例に示す構成としてもよい。
【００２７】
この変形例に係る遮光器具１は、支承部１２、遮光部２８、カーテン４４を有する。遮光部２８とカーテン４４の構成は、本実施の形態において説明した構成と同様であり、重複する説明を省略する。
支承部１２は４本の脚２０からなる。各脚２０の上端が、遮光部２８の板状部材３０の下側面の四隅にそれぞれ着脱自在に取り付けられている。
【００２８】
脚２０は、外管２２、内管２４、２６を有する。外管２２の上端が板状部材３０の下側面に接続されている。外管２２が内側に内管２４を収納し、内管２４が内側に内管２６を収納している。外管２２の下端側から内管２４を出し入れし、内管２４の下端側から内管２６を出し入れすることによって、各脚２０は、その長さを調節可能に構成されている。
【００２９】
凹凸のある場所で遮光器具１を使うときは、各脚２０の長さを調節して、遮光器具１がぐらつくことを防止することができる。また、肘掛け付き長椅子の肘掛に頭をのせる等して寝そべるときには、各脚２０をそれぞれ調節し、２本の脚２０を長椅子の腰掛部の上に置き、他の２本の脚２０を長椅子の肘掛けの上に置くことができる。
また、遮光器具１を使わないときは、各脚２０を板状部材３０の下側面から取り外しておくことができる。各脚２０を取り外すことにより、遮光器具１がコンパクトな形状となり、邪魔になることなく遮光器具１をしまっておくことができる。
【符号の説明】
【００３０】
１    遮光器具１
１０    基台１０
１０Ｔ    上側面１０Ｔ
１２    支承部１２
１４、１６    板状部材１４、１６
１８    穴１８
２０    脚２０
２２    外管２２
２４、２６    内管２４、２６
２８    遮光部２８
３０    板状部材３０
３０Ｆ    正面側の側面３０Ｆ
３０Ｓ    左右の側面３０Ｓ
３２、３４    板状部材３２、３４
３６    引き手３６
３８    屋根３８
４０    傾斜面４０
４２    吊下部４２
４４    カーテン４４
４６    カーテンレール４６
４８、５０    ヒンジ４８、５０
５２    ピン５２
【図１】
0003150007.tif 000003
【図２】
0003150007.tif 000004
【図３】
0003150007.tif 000005
【図４】
0003150007.tif 000006
【図５】
0003150007.tif 000007
【図６】
0003150007.tif 000008
【図７】
0003150007.tif 000009